(57)【特許請求の範囲】
【請求項１】
電流を供給することで相互に反対方向の磁界が発生する少なくとも１つのコイルを有し、前記コイルに所定のセット電流を供給したときにオフ状態からオン状態に切り替えられ、前記コイルに所定のリセット電流を供給したときにオン状態からオフ状態に切り替えられる電磁継電器と、
前記コイルに電気的に接続され、前記コイルに前記セット電流または前記リセット電流を供給する駆動部と、
前記駆動部に前記セット電流または前記リセット電流を供給させるための制御信号を出力する制御装置と、
を備える電力供給装置の不正使用検出システムであって、
前記電磁継電器のオンオフ状態が切り替えられることにより前記コイルに発生する誘導起電力の変動を検出する検出部と、
前記制御信号の出力状態と、前記検出部により検出された誘導起電力の変動とに基づいて、前記電磁継電器のオンオフ状態が不正に切り替えられた可能性があるか否かを判定する不正判定部と、
を有し、
前記駆動部が、前記コイルに接続され、前記コイルに前記セット電流を供給するか否かを切り替えると共に、前記コイルに前記リセット電流を供給するか否かを切り替えるスイッチ部を有し、
前記制御装置が、前記スイッチ部に接続されると共に、前記制御信号によって前記スイッチ部を制御するよう構成されており、
前記検出部が、前記コイルと前記スイッチ部との間の任意の位置、および、前記コイルと基準電位との間の任意の位置の少なくとも１つにおける電位の変動を前記誘導起電力の変動として検出し、
前記不正判定部が、前記制御信号の出力状態と、前記検出部により検出された前記電位の変動とに基づいて、前記電磁継電器のオンオフ状態が不正に切り替えられた可能性があるか否かを判定する、不正使用検出システム。
【請求項２】
前記スイッチ部が、前記コイルに接続され、前記コイルに前記セット電流が供給されるか否かを切り替える少なくとも１つのセット側スイッチング素子と、前記コイルに接続され、前記コイルに前記所定のリセット電流が供給されるか否かを切り替える少なくとも１つのリセット側スイッチング素子と、を有し、
前記制御装置が、前記セット側スイッチング素子およびリセット側スイッチング素子に接続されると共に、前記制御信号によって前記セット側スイッチング素子および前記リセット側スイッチング素子を制御するよう構成されており、
前記検出部が、前記コイルと前記セット側スイッチング素子との間の任意の位置、前記コイルと前記リセット側スイッチング素子との間の任意の位置、および、前記コイルと前記基準電位との間の任意の位置の少なくとも１つにおける電位の変動を検出し、
前記不正判定部が、前記セット側スイッチング素子または前記リセット側スイッチング素子を制御するための前記制御信号の出力状態と、前記検出部により検出された前記電位の変動とに基づいて、前記電磁継電器のオンオフ状態が不正に切り替えられた可能性があるか否かを判定する、請求項１に記載の不正使用検出システム。
【請求項３】
前記電磁継電器が、前記コイルとして、前記セット電流が供給されるセットコイルと、前記リセット電流が供給されるリセットコイルとを有し、
前記セット側スイッチング素子が、前記セットコイルに接続されると共に、前記リセット側スイッチング素子が、前記リセットコイルに接続されており、
前記検出部が、前記セットコイルと前記セット側スイッチング素子との間の任意の位置、前記リセットコイルと前記リセット側スイッチング素子との間の任意の位置、前記セットコイルと前記基準電位との間の任意の位置、および、前記リセットコイルと前記基準電位との間の任意の位置の少なくとも１つにおける電位の変動を検出し、
前記不正判定部が、前記セット側スイッチング素子を制御するための前記制御信号の出力状態と、前記検出部により検出された前記電位の変動とに基づいて、前記電磁継電器のオンオフ状態が不正に切り替えられた可能性があるか否かを判定する、請求項２に記載の不正使用検出システム。
【請求項４】
前記不正判定部が、前記電磁継電器のオンオフ状態が不正に切り替えられた可能性があると判定された場合に、前記電磁継電器のオンオフ状態が不正に切り替えられた可能性があることを表す不正判定信号を外部に送信する送信部を有する、請求項１から３のいずれか１項に記載の不正使用検出システム。
【請求項５】
前記不正判定部が、前記電磁継電器のオンオフ状態が不正に切り替えられた可能性があると判定された場合に、前記検出部により検出された前記制御信号の出力および前記電位の変動を含む不正操作情報を記憶する記憶部を有し、前記送信部が、前記不正操作情報を前記不正判定信号に含めて外部に送信する、請求項４に記載の不正使用検出システム。
【請求項６】
前記制御装置が前記不正判定部を兼ねる、請求項１から５のいずれか１項に記載の不正使用検出システム。
【請求項７】
請求項１から６のいずれか１項に記載の不正使用検出システムを備えた電力供給装置。
【請求項８】
電流を供給することで相互に反対方向の磁界が発生する少なくとも１つのコイルを有し、前記コイルに所定のセット電流を供給したときにオフ状態からオン状態に切り替えられ、前記コイルに所定のリセット電流を供給したときにオン状態からオフ状態に切り替えられる電磁継電器と、
前記コイルに電気的に接続され、前記コイルに前記セット電流または前記リセット電流を供給する駆動部と、
前記駆動部に前記セット電流または前記リセット電流を供給させるための制御信号を出力する制御装置と、
を備え、
前記駆動部が、前記コイルに接続され、前記コイルに前記セット電流を供給するか否かを切り替えると共に、前記コイルに前記リセット電流を供給するか否かを切り替えるスイッチ部を有し、
前記制御装置が、前記スイッチ部に接続されると共に、前記制御信号によって前記スイッチ部を制御するよう構成されている電力供給装置の不正使用検出方法であって、
前記電磁継電器のオンオフ状態が切り替えられることにより前記コイルに発生する誘導起電力の変動として、前記コイルと前記スイッチ部との間の任意の位置、および、前記コイルと基準電位との間の任意の位置の少なくとも１つにおける電位の変動を検出し、
前記制御信号の出力状態と、検出された前記電位の変動とに基づいて、前記電磁継電器のオンオフ状態が不正に切り替えられた可能性があるか否かを判定する、不正使用検出方法。
【発明の詳細な説明】
【技術分野】
【０００１】
本発明は、不正使用検出システム、および、これを備えた電力供給装置に関する。
【背景技術】
【０００２】
従来、電磁継電器としては、例えば、特許文献１に記載されたものがある。この電磁継電器は、電流の流れる方向により極性が反転する電磁石と、電磁石の極性に応じて固定接点および可動接点を接触または開離させて、固定接点および可動接点を接触または開離状態で保持する接点機構部とを備えている。
【先行技術文献】
【特許文献】
【０００３】
【特許文献１】特開２０１３−２２２６９９号公報
【発明の概要】
【発明が解決しようとする課題】
【０００４】
ところで、従来の前記電磁継電器は、建物等に外部から電力を供給するための電力供給装置に用いられる場合がある。このような電力供給装置では、外部からの信号で電磁継電器をオンオフさせることにより、建物等への電力の供給を任意に停止または開始できるようになっている。
【０００５】
しかし、従来の前記電磁継電器は、外部から強力な磁界を加えて強制的にオンオフ状態の切り替えができたため、この従来の電磁継電器を用いた電力供給装置では、例えば、強力な磁石を用いた不正な操作により盗電されるおそれがある。このような不正な操作が行われているか否かは、電力供給装置を直接確認しなければ判断できないため、電力供給装置が不正に使用されたか否かを正確に把握することは困難である。
【０００６】
本発明は、前述の課題に鑑み、電力供給装置の不正使用を高い精度で検出できる不正使用検出システムおよびこれを備えた電力供給装置を提供することを課題とする。
【課題を解決するための手段】
【０００７】
本発明の不正使用検出システムは、前記課題を解決すべく、電流を供給することで相互に反対方向の磁界が発生する少なくとも１つのコイルを有し、前記コイルに所定のセット電流を供給したときにオフ状態からオン状態に切り替えられ、前記コイルに所定のリセット電流を供給したときにオン状態からオフ状態に切り替えられる電磁継電器と、前記コイルに電気的に接続され、前記コイルに前記セット電流または前記リセット電流を供給する駆動部と、前記駆動部に前記セット電流または前記リセット電流を供給させるための制御信号を出力する制御装置と、を備える電力供給装置の不正使用検出システムであって、前記コイルの誘導起電力の変動を検出する検出部と、前記制御信号の出力状態と、前記検出部により検出された誘導起電力の変動とに基づいて、前記電磁継電器のオンオフ状態が不正に切り替えられた可能性があるか否かを判定する不正判定部と、を有する。
【発明の効果】
【０００８】
本発明の不正使用検出システムによれば、駆動部にセット電流またはリセット電流を供給させるための制御信号の出力状態と、コイルの誘導起電力の変動とに基づいて、電磁継電器のオンオフ状態が不正に切り替えられた可能性があるか否かを判定する。これにより、電力供給装置を直接確認しなくても、電力供給装置が不正に使用された可能性があるか否かを判定できる。
【０００９】
本発明の一実施形態としては、前記駆動部が、前記コイルに接続され、前記コイルに前記セット電流を供給するか否かを切り替えると共に、前記コイルに前記リセット電流を供給するか否かを切り替えるスイッチ部を有し、前記制御装置が、前記スイッチ部に接続されると共に、前記制御信号によって前記スイッチ部を制御するよう構成されており、前記検出部が、前記コイルと前記スイッチ部との間の任意の位置、および、前記コイルと基準電位との間の任意の位置の少なくとも１つにおける電位の変動を検出し、前記不正判定部が、前記制御信号の出力状態と、前記検出部により検出された前記電位の変動とに基づいて、前記電磁継電器のオンオフ状態が不正に切り替えられた可能性があるか否かを判定する構成としてもよい。
【００１０】
この実施形態によれば、スイッチ部を制御するための制御信号の出力状態と、コイルとスイッチ部との間の任意の位置、および、コイルと基準電位との間の任意の位置の少なくとも１つにおける電位の変動とに基づいて、電磁継電器のオンオフ状態が不正に切り替えられた可能性があるか否かを判定する。これにより、電力供給装置を直接確認しなくても、電力供給装置が不正に使用された可能性があるか否かを判定できる。
【００１１】
なお、基準電位には、例えば、電源およびグランドが含まれる。
【００１２】
本発明の一実施形態としては、前記スイッチ部が、前記コイルに接続され、前記コイルに前記セット電流が供給されるか否かを切り替える少なくとも１つのセット側スイッチング素子と、前記コイルに接続され、前記コイルに前記所定のリセット電流が供給されるか否かを切り替える少なくとも１つのリセット側スイッチング素子と、を有し、前記制御装置が、前記セット側スイッチング素子およびリセット側スイッチング素子に接続されると共に、前記制御信号によって前記セット側スイッチング素子および前記リセット側スイッチング素子を制御するよう構成されており、前記検出部が、前記コイルと前記セット側スイッチング素子との間の任意の位置、前記コイルと前記リセット側スイッチング素子との間の任意の位置、および、前記コイルと前記基準電位との間の任意の位置の少なくとも１つにおける電位の変動を検出し、前記不正判定部が、前記セット側スイッチング素子または前記リセット側スイッチング素子を制御するための前記制御信号の出力状態と、前記検出部により検出された前記電位の変動とに基づいて、前記電磁継電器のオンオフ状態が不正に切り替えられた可能性があるか否かを判定する構成としてもよい。
【００１３】
この実施形態によれば、セット側スイッチング素子またはリセット側スイッチング素子を制御するための制御信号の出力状態と、コイルとセット側スイッチング素子との間の任意の位置、コイルとリセット側スイッチング素子との間の任意の位置、および、コイルと基準電位との間の任意の位置の少なくとも１つにおける電位の変動とに基づいて、電磁継電器のオンオフ状態が不正に切り替えられた可能性があるか否かを判定する。これにより、電力供給装置を直接確認しなくても、電力供給装置が不正に使用された可能性があるか否かを判定できる。
【００１４】
本発明の一実施形態としては、前記電磁継電器が、前記コイルとして、前記セット電流が供給されるセットコイルと、前記リセット電流が供給されるリセットコイルとを有し、前記セット側スイッチング素子が、前記セットコイルに接続されると共に、前記リセット側スイッチング素子が、前記リセットコイルに接続されており、前記検出部が、前記セットコイルと前記セット側スイッチング素子との間の任意の位置、前記リセットコイルと前記リセット側スイッチング素子との間の任意の位置、前記セットコイルと前記基準電位との間の任意の位置、および、前記リセットコイルと前記基準電位との間の任意の位置の少なくとも１つにおける電位の変動を検出し、前記不正判定部が、前記セット側スイッチング素子を制御するための前記制御信号の出力状態と、前記検出部により検出された前記電位の変動とに基づいて、前記電磁継電器のオンオフ状態が不正に切り替えられた可能性があるか否かを判定する構成としてもよい。
【００１５】
この実施形態によれば、セット側スイッチング素子を制御するための制御信号の出力状態と、セットコイルとセット側スイッチング素子との間の任意の位置、リセットコイルとリセット側スイッチング素子との間の任意の位置、セットコイルと前記基準電位との間の任意の位置、および、リセットコイルと基準電位との間の任意の位置の少なくとも１つにおける電位の変動とに基づいて、電磁継電器のオンオフ状態が不正に切り替えられた可能性があるか否かを判定する。これにより、電力供給装置を直接確認しなくても、電力供給装置が不正に使用された可能性があるか否かを判定できる。
【００１６】
本発明の一実施形態としては、前記不正判定部が、前記電磁継電器のオンオフ状態が不正に切り替えられた可能性があると判定された場合に、前記電磁継電器のオンオフ状態が不正に切り替えられた可能性があることを表す不正判定信号を外部に送信する送信部を有する構成としてもよい。
【００１７】
この実施形態によれば、電力供給装置が不正に使用された可能性があると判定された場合に、この情報を外部に送信できる。このため、不正に使用された可能性がある電力供給装置を容易に特定でき、電力供給装置の不正使用による被害を低減できる。
【００１８】
本発明の一実施形態としては、前記不正判定部が、前記電磁継電器のオンオフ状態が不正に切り替えられた可能性があると判定された場合に、前記検出部により検出された前記制御信号の出力および前記電位の変動を含む不正操作情報を記憶する記憶部を有し、前記送信部が、前記不正操作情報を前記不正判定信号に含めて外部に送信する構成としてもよい。
【００１９】
この実施形態によれば、外部に送信される情報に、検出部により検出されたセット側スイッチング素子への制御信号の出力の情報、および、コイルとセット側スイッチング素子との接続部分またはコイルとリセット側スイッチング素子との接続部分の電位の変動の情報を含めることができる。これにより、電力供給装置が不正に使用された可能性があるか否かを正確に判定できる。
【００２０】
本発明の一実施形態としては、前記制御装置が前記不正判定部を兼ねる構成としてもよい。
【００２１】
この実施形態によれば、前記制御装置が前記不正判定部を兼ねるので、構成を簡単にでき、不正使用検出システムの設計の幅を広げることができる。
【００２２】
本発明の電力供給装置は、前記不正使用検出システムを備えている。
【００２３】
本発明の電力供給装置によれば、電力供給装置の不正使用を高い精度で検出できる。
【００２４】
本発明の不正使用検出方法は、電流を供給することで相互に反対方向の磁界が発生する少なくとも１つのコイルを有し、前記コイルに所定のセット電流を供給したときにオフ状態からオン状態に切り替えられ、前記コイルに所定のリセット電流を供給したときにオン状態からオフ状態に切り替えられる電磁継電器と、前記コイルに電気的に接続され、前記コイルに前記セット電流または前記リセット電流を供給する駆動部と、前記駆動部に前記セット電流または前記リセット電流を供給させるための制御信号を出力する制御装置と、を備える電力供給装置の不正使用検出方法であって、前記コイルの誘導起電力の変動を検出し、前記制御信号の出力状態と、検出された前記誘導起電力の変動とに基づいて、前記電磁継電器のオンオフ状態が不正に切り替えられた可能性があるか否かを判定する。
【００２５】
本発明の不正使用検出方法によれば、電力供給装置の不正使用を高い精度で検出できる。
【図面の簡単な説明】
【００２６】
【図１】本発明の第１実施形態の不正使用検出システムを備えた電力供給装置の構成を示す電気回路図である。
【図２】図１の電力供給装置の電磁継電器のオン状態を示す概略図である。
【図３】図１の電力供給装置の電磁継電器のオフ状態を示す概略図である。
【図４】図１の電力供給装置の検出部および不正判定部の一例を示す電気回路図である。
【図５】図１の電力供給装置の正常動作時におけるセット信号とセットコイル電圧との関係、および、リセット信号とリセットコイル電圧との関係を示す図である。
【図６】図１の電力供給装置の不正動作時におけるセット信号，リセット信号，セットコイル電圧およびリセットコイル電圧の関係を示す図である。
【図７】図５のリセット信号とリセットコイル電圧との関係を示す部分の拡大図である。
【図８】図７を説明するための図である。
【図９】本発明の第２実施形態の不正使用検出システムを備えた電力供給装置の構成を示す電気回路図である。
【図１０】本発明の第３実施形態の不正使用検出システムを備えた電力供給装置の構成を示す電気回路図である。
【図１１】本発明の第４実施形態の不正使用検出システムを備えた電力供給装置の構成を示す電気回路図である。
【図１２】本発明の第５実施形態の不正使用検出システムを備えた電力供給装置の構成を示す電気回路図である。
【図１３】本発明の第６実施形態の不正使用検出システムを備えた電力供給装置の構成を示す電気回路図である。
【図１４】本発明の第７実施形態の不正使用検出システムを備えた電力供給装置の構成を示す電気回路図である。
【図１５】本発明の第８実施形態の不正使用検出システムを備えた電力供給装置の構成を示す電気回路図である。
【図１６】本発明の他の実施形態を説明するための図である。
【図１７】本発明の他の実施形態を説明するための他の図である。
【発明を実施するための形態】
【００２７】
以下、添付図面を参照して本発明の実施形態を説明する。なお、以下の説明では、図面に表された構成を説明するうえで、「上」、「下」、「左」、「右」等の方向を示す用語、及びそれらを含む別の用語を使用するが、それらの用語を使用する目的は図面を通じて実施形態の理解を容易にするためである。したがって、それらの用語は本発明の実施形態が実際に使用されるときの方向を示すものとは限らないし、それらの用語によって特許請求の範囲に記載された発明の技術的範囲が限定的に解釈されるべきでない。
【００２８】
（第１実施形態）
本発明の第１実施形態の不正使用検出システムを備えた電力供給装置１００は、図１に示すように、電磁継電器１０と、制御装置２０と、検出部３０と、不正判定部４０と、駆動部５０とを備えている。
【００２９】
電磁継電器１０は、スイッチ部を有している駆動部５０と電気的に接続されている。この駆動部５０のスイッチ部は、セット側スイッチング素子５１とリセット側スイッチング素子５２とで構成されている。また、制御装置２０は、駆動部５０のセット側スイッチング素子５１およびリセット側スイッチング素子５２の各々に接続されている。検出部３０は、駆動部５０の電磁継電器１０およびセット側スイッチング素子５１の間の所定の位置に接続されている。不正判定部４０は、制御装置２０およびセット側スイッチング素子５１の間の所定の位置と、検出部３０とに接続されている。なお、検出部３０と不正判定部４０とで、不正使用検出システムの一例を構成している。
【００３０】
電磁継電器１０は、自己保持型の電磁継電器であり、図２，図３に示すように、電磁石ブロック６０と、電磁石ブロック６０のヨーク６３の間に配置されたアーマチュア７０と、アーマチュア７０に連結されたカード８０と、カード８０に連結された接点機構部９０とで構成されている。
【００３１】
電磁石ブロック６０は、スプール６１に巻回されたコイル６２と、スプール６１の両側から突出する鉄心（図示せず）の両端に設けられたヨーク６３，６４と、第１〜第３コイル端子６５〜６７を有している。この電磁石ブロック６０では、図１に示すセットコイル１１およびリセットコイル１２が同じスプール６１にコイル６２として巻回されている。セットコイル１１およびリセットコイル１２は、電流を供給することで、相互に反対方向の磁界が発生するように巻回されており、その両端には、逆起電力を防止するためのダイオード（図示せず）が設けられている。また、第１，第２コイル端子６５，６６には、セットコイル１１の引出線がそれぞれ接続され、第２，第３コイル端子６６，６７には、リセットコイル１２の引出線がそれぞれ接続されている。すなわち、第１，第２コイル端子６５，６６でセットコイル端子を構成し、第２，第３コイル端子６６，６７でリセットコイル端子を構成している。
【００３２】
なお、第１コイル端子６５は、セット側スイッチング素子５１に接続されている。第２コイル端子６６は、コイル６２に電流を供給するための電源１に接続されている。また、第３コイル端子６７は、リセット側スイッチング素子５２に接続されている。
【００３３】
アーマチュア７０は、永久磁石（図示せず）と、この永久磁石を挟持する一対の板状鉄片７１，７２とで構成され、中央部に設けた回動軸７３を中心に回動可能に配置されている。このアーマチュア７０は、永久磁石を挟持する一対の板状鉄片７１，７２をインサート成形している。また、アーマチュア７０には、回動軸７３から径方向に延びる腕部７４が形成されている。
【００３４】
カード８０は、アーマチュア７０の腕部７４の先端に連結され、アーマチュア７０の回動によって、図２，図３に示すＸ方向にスライド移動可能に配置されている。
【００３５】
接点機構部９０は、カード８０の一端部に連結された可動接触片９２をカシメ固定した可動接点端子９１と、固定接点端子９４とで構成されている。可動接触片９２には、可動接点９３が設けられ、固定接点端子９４には、可動接点９３に接触する固定接点９５が設けられている。
【００３６】
図２に示すように、セットコイル端子に所定のセット電流が供給されると、アーマチュア７０のＹ方向上側の板状鉄片７２の一端がＸ方向右側のヨーク６３に吸着される一方、Ｙ方向下側の板状鉄片７１の一端がＸ方向左側のヨーク６４に吸着される。これにより、アーマチュア７０が時計回りに回動し、カード８０をＸ方向左側にスライド移動させる。このカード８０の移動により可動接触片９２がＸ方向左側に押圧され、可動接点９３が固定接点９５に接触し、電磁継電器１０がオフ状態からオン状態に切り替えられる。その後、セット電流の供給が停止されても、電磁継電器１０はオン状態を保持する。
【００３７】
一方、図３に示すように、リセットコイル端子に所定のリセット電流が供給されると、アーマチュア７０のＹ方向下側の板状鉄片７１の他端がＸ方向右側のヨーク６３に吸着される一方、Ｙ方向上側の板状鉄片７２の他端がＸ方向左側のヨーク６４に吸着される。これにより、アーマチュア７０が反時計回りに回動し、カード８０をＸ方向右側にスライド移動させる。このカード８０の移動により可動接触片９２がＸ方向右側に押圧され、可動接点９３が固定接点９５から開離され、電磁継電器１０がオン状態からオフ状態に切り替えられる。その後、リセット電流の供給が停止されても、電磁継電器１０はオフ状態を保持する。
【００３８】
制御装置２０は、図１に示すように、スイッチング素子制御部２１と、外部信号を受信するための受信部２２と、制御信号を送信するための送信部２３とで構成されている。
【００３９】
スイッチング素子制御部２１は、図示しないマイクロコンピュータおよび入出力装置等からなり、受信部２２で受信した外部信号に基づいて、電磁継電器１０のオン状態オフ状態を切り替えるための制御信号を出力する。電磁継電器１０をオフ状態からオン状態に切り替える場合、スイッチング素子制御部２１は、セット側スイッチング素子５１を制御するためのセット信号を制御信号として出力する。また、電磁継電器１０をオン状態からオフ状態に切り替える場合、スイッチング素子制御部２１は、リセット側スイッチング素子５２を制御するためのセット信号を制御信号として出力する。スイッチング素子制御部２１により出力された制御信号は、送信部２３によって、セット側スイッチング素子５１およびリセット側スイッチング素子５２にそれぞれ送信される。
【００４０】
検出部３０は、図４に示すように、コンパレータ回路３１と、電源３３とグランド３４に接続された可変抵抗３２とで構成されている。このコンパレータ回路３１は、電磁継電器１０のセットコイル１１およびセット側スイッチング素子５１の間の所定の位置に接続されている非反転入力端子と、可変抵抗３２の可動端子に接続されている反転入力端子と、出力端子とを有している。
【００４１】
この検出部３０では、コンパレータ回路３１によって、セットコイル１１およびセット側スイッチング素子５１の間の所定の位置における電位と、可変抵抗３２により設定された所定の比較電位とを比較し、その高低を判定することにより、セットコイル１１の誘導起電力の変動を検出する。セットコイル１１およびセット側スイッチング素子５１の間の所定の位置における電位が比較電位よりも低いと判定された場合、「Ｌｏｗ」状態の信号が出力され、セットコイル１１とセット側スイッチング素子５１との間の所定の位置における電位が比較電位よりも高いと判定された場合、「Ｈｉｇｈ」状態の信号が出力される。コンパレータ回路３１から出力された信号は、コンパレータ回路３１から不正判定部４０に送信される。
【００４２】
なお、コンパレータ回路３１の非反転入力端子は、セットコイル１１およびセット側スイッチング素子５１の間の位置であれば、任意の位置に接続できる。
【００４３】
不正判定部４０は、図１に示すように、判定部４１と、受信部４２と、記憶部４３と、送信部４４とを有している。
【００４４】
判定部４１は、図４に示すように、ＯＲ素子で構成され、コンパレータ回路３１と、制御装置２０およびセット側スイッチング素子５１の間の所定の位置とに接続されている。この判定部４１は、セット信号の出力状態と、検出部３０により検出されたセットコイル１１とセット側スイッチング素子５１との間の所定の位置における電位の変動とに基づいて、電磁継電器１０がオン状態からオフ状態に不正に切り替えられた可能性があるか否かを判定する。なお、図４では、説明の便宜のため、受信部４２、記憶部４３および送信部４４を省略している。
【００４５】
具体的には、判定部４１は、コンパレータ回路３１から出力された信号を受信すると共に、制御装置２０からセット側スイッチング素子５１に出力された信号を検出し、セット信号の出力状態を判定する。制御装置２０から出力される制御信号はパルス信号であるため、セット信号が出力されている場合、セット信号は「Ｈｉｇｈ」状態であると判定され、セット信号が出力されていない場合、セット信号は「Ｌｏｗ」状態であると判定される。そして、コンパレータ回路３１により出力された信号が「Ｌｏｗ」状態であり、かつ、判定されたセット信号の出力状態が「Ｌｏｗ」状態であった場合、すなわち、セット信号が出力されていないにもかかわらず、セットコイル１１に誘導起電力が発生した場合、判定部４１は、電磁継電器１０がオン状態からオフ状態に不正に切り替えられた可能性があると判定する。
【００４６】
電磁継電器１０がオン状態からオフ状態に不正に切り替えられた可能性があると判定された場合、判定部４１は、電力供給装置１００が不正に使用された可能性があることを表す不正判定信号を出力する。
【００４７】
なお、判定部４１は、制御装置２０およびセット側スイッチング素子５１の間の位置であれば、任意の位置に接続できる。
【００４８】
受信部４２は、電力供給装置１００の外部から送信された外部信号を受信する。記憶部４３は、判定部４１により電磁継電器１０がオン状態からオフ状態に不正に切り替えられた可能性があると判定された場合に、検出部３０が検出したセットコイル１１の誘導起電力の変動、および、判定部４１により判定されたセット信号の出力状態を不正操作情報として記憶する。送信部４４は、判定部４１により不正判定信号が出力された場合に、この不正判定信号を電力供給装置１００の外部に送信すると共に、受信部４２により受信された外部信号に応じて、記憶部４３に記憶されている不正操作情報を電力供給装置１００の外部に送信する。
【００４９】
駆動部５０は、セット側スイッチング素子５１およびリセット側スイッチング素子５２を有するスイッチ部と、このスイッチ部と電磁継電器１０のセットコイル１１およびリセットコイル１２とを電気的に接続する電線とで構成されている。
【００５０】
セット側スイッチング素子５１およびリセット側スイッチング素子５２は、ｎｐｎ型のバイポーラトランジスタで構成されている。セット側スイッチング素子５１は、図１に示すように、ベース端子が制御装置２０に接続され、コレクタ端子が電磁継電器１０のセットコイル端子を構成する第１コイル端子６５に接続され、エミッタ端子がグランド２に接続されている。このセット側スイッチング素子５１は、制御装置２０から出力されるセット信号によって、電磁継電器１０のセットコイルに所定のセット電流を供給するか否かを切り替える。また、リセット側スイッチング素子５２は、図１に示すように、ベース端子が制御装置２０に接続され、コレクタ端子が電磁継電器１０のリセットコイル端子を構成する第３コイル端子６７に接続され、エミッタ端子がグランド２に接続されている。このリセット側スイッチング素子５２は、制御装置２０から出力されるリセット信号によって、電磁継電器１０のリセットコイルに所定のリセット電流を供給するか否かを切り替える。
【００５１】
次に、図５〜７を用いて、前記構成の不正使用検出システムを用いた不正使用検出方法を説明する。ここでは、電磁継電器１０がオフ状態からオン状態に不正に切り替えられた可能性があるか否かを判定する。なお、図５〜７において、セットコイル電圧は、セットコイル１１およびセット側スイッチング素子５１の間の所定の位置と、グランド２との間の電圧（電位差）であり、リセットコイル電圧は、リセットコイル１２およびリセット側スイッチング素子５２の間の所定の位置と、グランド２との間の電圧（電位差）である。
【００５２】
例えば、制御装置２０からセット信号が出力されて電磁継電器１０が正常にオフ状態からオン状態に切り替えられ、また、制御装置２０からリセット信号が出力されて電磁継電器１０が正常にオン状態からオフ状態に切り替えられたとする。この場合、図５に示すように、セット信号またはリセット信号が出力されたと略同時に、セットコイル１１またはリセットコイル１２の電圧がそれぞれ変化する。
【００５３】
一方、不正な操作によってアーマチュア７０が強制的に回動させられ、制御装置２０からセット信号が出力されていないにもかかわらず電磁継電器１０がオフ状態からオン状態に切り替えられたとする。この場合、図６に示すように、アーマチュア７０の回動に伴う誘導起電力により、セットコイル１１の電圧がマイナス方向（図６の下側）に変動し、リセットコイル１２の電圧がプラス方向（図６の上側）に変動する。すなわち、セット信号が出力されていないにもかかわらず、セットコイル１１の電圧が変動する。
【００５４】
このように、セットコイル１１の電圧を監視し、セット信号が出力されたと略同時に、セットコイル１１の電圧が変動したか否かを判定することで、電力供給装置１００を直接確認しなくても、電力供給装置１００のオンオフ状態が不正に切り替えられた可能性があるか否かを判定できる。
【００５５】
なお、前記電磁継電器１０には、セットコイル１１およびリセットコイル１２の両端に図示しないダイオードを設けて、逆起電力を吸収している。すなわち、電磁継電器１０がオフ状態からオン状態に切り替えられた場合、図６に示すように、リセットコイル１２の電圧がダイオードの順電圧よりも高くならないため、セットコイル１１およびセット側スイッチング素子５１の間の位置の方が、リセットコイル１２およびリセット側スイッチング素子５２の間の位置よりも電位の変動を検出し易い。このため、前記電磁継電器１０のように、逆起電力防止用のダイオードを設けている場合は、セットコイル１１とセット側スイッチング素子５１との接続部分の電位の変動を検出することで、電力供給装置１００が不正に使用された可能性があるか否かの判定の精度を高めることができる。
【００５６】
また、電磁継電器１０がリセット信号に応じて正常にオフ状態された場合、リセットコイル１２には、アーマチュア７０の回動に伴う誘導起電力が発生する。すなわち、検出部３０により検出される電位の波形は、図８に示すように、リセットコイル１２およびリセット側スイッチング素子５２の間の所定の位置における電位のパルス波形（図８の（ａ）の波形）と、誘導起電力の波形（図８の（ｂ）の波形）とを組み合わせた波形（図８の（ｃ）の波形）となり、図７に示すように、オーバーシュートが現れる。
【００５７】
一方、例えば、電磁継電器１０の外部に強力な磁石を固定したままの状態で、電磁継電器１０をオン状態からオフ状態に切り替えられないようにしているとする。この場合、制御装置２０からリセット信号が出力されても、外部に固定した磁石の磁力によりアーマチュア７０が回動できない。このため、検出部３０により検出される電位の波形は、図８に示すように、リセットコイル１２とリセット側スイッチング素子５２との間の所定の位置における電位のパルス波形（図８の（ａ）の波形）となり、オーバーシュートは現れない。
【００５８】
このように、制御装置２０からリセット信号が出力されたときのリセットコイル１２とリセット側スイッチング素子５２との接続部分の電位を監視し、その波形にオーバーシュートが現れているか否かを判定することで、電力供給装置１００のオンオフ状態が不正に切り替えられた可能性があるか否かを判定することもできる。
【００５９】
（その他の実施形態）
第１実施形態では、検出部３０を電磁継電器１０のセットコイル１１およびセット側スイッチング素子５１の間の所定の位置に接続し、セットコイル１１のセットコイル１１およびセット側スイッチング素子５１の間の所定の位置における電位の変動を検出しているが、これに限らない。例えば、図９に示すように、検出部３０を電磁継電器１０のリセットコイル１２およびリセット側スイッチング素子５２の間の任意の位置に接続し、リセットコイル１２とリセット側スイッチング素子５２との間の任意の位置における電位の変動を検出してもよい（第２実施形態）。なお、この場合、検出精度を維持するため、リセットコイル１２の両端に逆起電力を防止するダイオードを設けないのが好ましい。
【００６０】
また、図１０に示すように、検出部として、電磁継電器１０のセットコイル１１およびセット側スイッチング素子５１の間の任意の位置と、電磁継電器１０のリセットコイル１２およびリセット側スイッチング素子５２との間の任意の位置とに接続された検出部１３０を設けてもよい（第３実施形態）。これにより、セットコイル１１およびセット側スイッチング素子５１の間の任意の位置における電位の変動と、リセットコイル１２およびリセット側スイッチング素子５２の間の任意の位置における電位の変動とから、電力供給装置１００が不正に使用された可能性があるか否かを判定できる。すなわち、不正な操作によって電磁継電器をオフ状態からオン状態に切り替えられた可能性だけでなく、電磁継電器をオン状態からオフ状態に切り替えられた可能性をも判定できる。このため、電力供給装置の不正使用を確実に阻止できる。
【００６１】
第１実施形態では、制御装置２０と不正判定部４０とを別々に設けているが、これに限らない。例えば、図１１〜図１３の第４〜第６実施形態に示すように、制御装置１２０が不正判定部を兼ねてもよい。これにより、不正使用検出システムの構成を簡単にでき、不正使用検出システムの設計の自由度を広げることができる。この場合、制御装置１２０には、スイッチング素子制御部２１、受信部２２および送信部２３に加え、判定部４１と、記憶部４３とが設けられる。
【００６２】
図１１に示す第４実施形態では、検出部３０が、電磁継電器１０のセットコイル１１およびセット側スイッチング素子５１の間の所定の位置に接続されている。また、図１２に示す第５実施形態は、検出部３０が、電磁継電器１０のリセットコイル１２およびリセット側スイッチング素子５２の間の所定の位置に接続されている。さらに、図１３に示す第６実施形態は、検出部１３０が、電磁継電器１０のセットコイル１１およびセット側スイッチング素子５１との間の所定の位置と、電磁継電器１０のリセットコイル１２およびリセット側スイッチング素子５２の間の所定の位置とに接続されている。この検出部１３０は、例えば、２つのコンパレータ回路を備え、セットコイル１１およびセット側スイッチング素子５１の間の所定の位置における電位と、可変抵抗３２により設定された所定の比較電位とを比較すると共に、リセットコイル１２およびリセット側スイッチング素子５２の間の所定の位置における電位と、可変抵抗３２により設定された所定の比較電位とを比較する。
【００６３】
なお、第４〜第６実施形態では、制御装置２０の送信部２３は、セット信号およびリセット信号をセット側スイッチング素子５１およびリセット側スイッチング素子５２に送信するだけでなく、不正判定信号および不正操作情報を電力供給装置の外部に送信するように構成される。
【００６４】
また、第１〜第６実施形態では、２巻線のコイルを有する電磁継電器１０を用いているが、これに限らない。図１３，図１４の第７，第８実施形態に示すように、１巻線のコイルを有する電磁継電器１１０を用いてもよい。
【００６５】
図１４に示す第７実施形態には、Ｈブリッジ回路を用いており、電磁継電器１１０を挟むように対向配置された２つのセット側スイッチング素子５１，１５１と、２つのリセット側スイッチング素子５２，１５２とで構成されたスイッチ部を有する駆動部１５０が設けられている。
【００６６】
制御装置２０のスイッチング素子制御部２１からセット信号が出力されると、２つのセット側スイッチング素子５１，１５１に同時にセット信号が出力され、スイッチング素子５１側からスイッチング素子１５１側（図１４の左側から右側）に電流が流れるようになっている。一方、制御装置２０のスイッチング素子制御部２１からリセット信号が出力されると、２つのリセット側スイッチング素子５２，１５２に同時にリセット信号が出力され、スイッチング素子５２側からスイッチング素子１５２側（図１４の右側から左側）に電流が流れるようになっている。
【００６７】
図１５に示す第８実施形態には、スイッチング素子５１で構成されたスイッチ部を有する駆動部２５０が設けられている。すなわち、スイッチング素子５１がセット側スイッチング素子とリセット側スイッチング素子とを兼ねている。また、検出部３０は、電磁継電器１１０およびコンデンサ５４の間の所定の位置に接続されており、不正判定部４０は、検出部３０と、制御装置２０およびダイオード５３の間の所定の位置に接続されている。なお、制御装置２０のスイッチング素子制御部２１は、制御信号として、基準電位（グランド２の電位）に対して正の信号を出力する。
【００６８】
制御装置２０から制御信号が出力されると、ダイオード５３、コンデンサ５４の順に電流が流れ、電磁継電器１１０にセット電流が供給される。これにより、電磁継電器１１０がオフ状態からオン状態に切り替えられる。電磁継電器１１０への電流の供給は、コンデンサ５４が充電されるまで行われる。このとき、スイッチング素子５１は、エミッタ端子側の電位とベース端子側の電位が略同じであるため、オフ状態になっており、エミッタ端子側からコレクタ端子側に電流は流れない。
【００６９】
一方、制御装置２０からの制御信号の出力を停止すると、制御装置２０とダイオード５３との間の所定の位置における電位が基準電位に戻り、スイッチング素子５１のベース端子側の電位も基準電位に等しくなる。また、コンデンサ５４は充電状態であるため、ダイオード５３側の電位が基準電位よりも高くなっている。このため、スイッチング素子５１は、エミッタ端子側の電位がベース端子側の電位より高くなり、オン状態となる。スイッチング素子５１がオン状態になると、エミッタ端子側からコレクタ端子側に電流が流れ、電磁継電器１１０にセット電流とは逆方向に流れるリセット電流が供給される。これにより、電磁継電器１１０がオン状態からオフ状態に切り替えられる。
【００７０】
電磁継電器１０のコイルとスイッチ部との間、および、電磁継電器１０のコイルと基準電位との間の接続は、前記第１〜８実施形態に示すような直接的な接続に限らない。例えば、図１６，図１７に示すように、電磁継電器１０およびスイッチ部の間（図１６，図１７では、セットコイル１１およびセット側スイッチング素子５１の間）、あるいは、電磁継電器１０および基準電位の間（図１６では、電源１の位置を含まないセットコイル１１および電源１の間、図１７では、グランド２の位置を含まないセットコイル１１およびグランド２の間）に、抵抗等の回路素子が接続されているような、間接的な接続であってもよい。
【００７１】
また、電磁継電器１０のコイルとスイッチ部との間、および、電磁継電器１０のコイルと基準電位との間の接続が、図１６，図１７に示すような間接的な接続であったとしても、検出部３０，１３０が接続され電位の変動が検出される所定の位置は、電源１の位置およびグランド２の位置を除く、任意に設定できる。例えば、図１６，図１７に示すように、電磁継電器１０のセットコイル１１およびセット側スイッチング素子５１の間の所定の位置は、図１６のＣ１，Ｄ１，Ｅ１、あるいは、図１７のＡ２，Ｂ２，Ｃ２のいずれの位置であってもよい。また、電磁継電器１０のセットコイル１１および電源１の間の所定の位置は、図１６のＡ１，Ｂ１のいずれの位置であってもよいし、電磁継電器１０のセットコイル１１およびグランド２の間の所定の位置は、図１７のＤ２，Ｅ２のいずれの位置であってもよい。検出部３０，１３０が、Ａ１〜Ｅ１およびＡ２〜Ｅ２のいずれの位置に接続されていても、電磁継電器１０のコイルの誘電起電力の変動を検出できる。
【００７２】
電磁継電器１０，１１０は、前記実施形態の構成に限らず、電流を供給することで相互に反対方向の磁界が発生する少なくとも１つのコイルを有し、コイルにセット電流を供給したときにオフ状態からオン状態に切り替えられ、コイルにリセット電流を供給したときにオン状態からオフ状態に切り替えられるものであれば、適宜変更できる。
【００７３】
制御装置２０は、駆動部５０にセット電流またはリセット電流を供給させるための制御信号を出力できるものであれば、適宜変更できる。
【００７４】
検出部３０，１３０は、コンパレータ回路３１に限らず、例えば、電位センサで構成することもできる。
【００７５】
不正判定部４０の判定部４１は、ＯＲ素子に限らず、他の同等の機能を有する素子を用いることもできる。また、判定部４１は、回路等の物理的の構成に限らず、ソフトウェアで構成してもよい。
【００７６】
不正操作情報は、検出部３０が検出したセットコイル１１の誘導起電力の変動、および、判定部４１により判定されたセット信号の出力状態に限らず、不正使用検出システムの設計等に応じて、任意の情報を含めることができる。例えば、リセットコイルの誘導起電力の変動、あるいは、リセット信号の出力状態を含んでいてもよい。
【００７７】
また、不正操作情報は、判定部４１により出力される不正判定信号と共に電力供給装置１００の外部に送信してもよいし、不正判定部４０の受信部４２が所定の外部信号を受信したときに、不正判定信号とは別々に電力供給装置１００の外部に送信してもよい。なお、不正判定信号の電力供給装置１００の外部への送信は、有線であっても無線であってもよい。
【００７８】
判定部４１により不正判定信号が出力されたときに、光または音等で警報を発して、電力供給装置１００が不正に使用された可能性があることを外部に知らせる報知部を設けてもよい。また、不正判定信号が所定の回数繰り返し出力された場合に、電力供給装置が不正に使用された可能性が著しく高いことを表す緊急信号が出力されるようにしてもよい。
【００７９】
駆動部５０は、電磁継電器１０，１１０のコイルに電気的に接続され、このコイルにセット電流またはリセット電流を供給できるものであれば、適宜変更できる。
【００８０】
また、スイッチ部は、電磁継電器１０，１１０のコイルに接続され、かつ、電磁継電器１０，１１０のコイルにセット電流を供給するか否かを切り替えると共に、電磁継電器１０，１１０のコイルにリセット電流を供給するか否かを切り替えることができるものであればよい。スイッチ部は、例えば、第１〜第６実施形態のように、セット側スイッチング素子およびリセット側スイッチング素子を各々１つずつ設けてもよいし、第７実施形態のように、セット側スイッチング素子およびリセット側スイッチング素子を各々２つずつ設けてもよいし、第８実施形態のように、セット側スイッチング素子およびリセット側スイッチング素子を兼ねた１つのスイッチング素子を設けてもよい。
【００８１】
セット側スイッチング素子５１およびリセット側スイッチング素子５２は、ｎｐｎ型のトランジスタに限らず、例えば、ｐｎｐ型のトランジスタ、ＭＯＳＦＥＴ（metal-oxide-semiconductor field-effect transistor）、あるいは、サイリスタなどの同等の機能を有する任意のスイッチング素子を採用できる。
【００８２】
前記実施形態で述べた構成要素は、適宜、組み合わせてもよく、また、適宜、選択、置換、あるいは、削除してもよいことは、勿論である。
【産業上の利用可能性】
【００８３】
本発明の不正使用検出システムおよび電力供給装置は、例えば、外部から任意に電力供給の開始および停止を遠隔操作するためのラッチングリレーを備えたスマートメーターに利用できる。
【符号の説明】
【００８４】
１  電源
２  グランド
１０，１１０  電磁継電器
１１  セットコイル
１２  リセットコイル
２０，１２０  制御装置
２１  スイッチング素子制御部
２２  受信部
２３  送信部
３０，１３０  検出部
３１  コンパレータ回路
３２  可変抵抗
３３  電源
３４  グランド
４０  不正判定部
４１  判定部
４２  受信部
４３  記憶部
４４  送信部
５０，１５０，２５０  駆動部
５１，１５１  セット側スイッチング素子
５２，１５２  リセット側スイッチング素子
５３  ダイオード
５４  コンデンサ
６０  電磁石ブロック
６１  スプール
６２  コイル
６３，６４  ヨーク
６５  第１コイル端子
６６  第２コイル端子
６７  第３コイル端子
７０  アーマチュア
７１，７２  板状鉄片
７３  回動軸
７４  腕部
８０  カード
９０  接点機構部
９１  可動接点端子
９２  可動接触片
９３  可動接点
９４  固定接点端子
９５  固定接点
１００  電力供給装置
【要約】
【課題】電力供給装置の不正使用を高い精度で検出できる不正使用検出システムおよびこれを備えた電力供給装置を提供する。
【解決手段】セットコイル１１およびリセットコイル１２を有する電磁継電器１０と、セット側スイッチング素子５１およびリセット側スイッチング素子５２を有する駆動部５０と、制御装置２０とを備える電力供給装置１００に設けられた不正使用検出システムであって、セットコイル１１およびセット側スイッチング素子５１の間の任意の位置における電位の変動を検出する検出部３０と、制御装置２０によるセット側スイッチング素子５１へのセット信号の出力状態、および、検出部３０により検出された電位の変動とに基づいて、電磁継電器１０のオンオフ状態が不正に切り替えられた可能性があるか否かを判定する不正判定部４０と、を有する。
【選択図】図１【図１】
0005954456.tif 000002
【図２】
0005954456.tif 000003
【図３】
0005954456.tif 000004
【図４】
0005954456.tif 000005
【図５】
0005954456.tif 000006
【図６】
0005954456.tif 000007
【図７】
0005954456.tif 000008
【図８】
0005954456.tif 000009
【図９】
0005954456.tif 000010
【図１０】
0005954456.tif 000011
【図１１】
0005954456.tif 000012
【図１２】
0005954456.tif 000013
【図１３】
0005954456.tif 000014
【図１４】
0005954456.tif 000015
【図１５】
0005954456.tif 000016
【図１６】
0005954456.tif 000017
【図１７】
0005954456.tif 000018